Podtech/llm-jp-corpus-v4-ja_patent huggingface dataset:
(57)【要約】【要約書】【課題】  ボールを打撃した時の震動を吸収することができるアイアンクラブヘッドを提供する。【解決手段】  一端にシャフトと連接するためのホーゼル（１３）が設けられるヘッド部（１０）を有し、その一側にフェイス（１１）が設けられると共に、他側に窪みの凹部（１２）が形成され、該凹部（１２）の内部におけるフェイス（１１）の裏側に順に強化部材（１４）と震動吸収部材（１５）が設けられることを特徴とする。【選択図】  図２
0003102910.tif 000002
【実用新案登録請求の範囲】
【請求項１】
一端にシャフトと連接するためのホーゼル（１３）が設けられるヘッド部（１０）を有し、その一側にフェイス（１１）が設けられると共に、他側に窪みの凹部（１２）が形成され、該凹部（１２）の内部におけるフェイス（１１）の裏側に順に強化部材（１４）と震動吸収部材（１５）が設けられることを特徴とするアイアンクラブヘッド。
【請求項２】
前記強化部材（１４）はチタン製の網状プレートであり、震動吸収部材（１５）はゴムから成ることを特徴とする請求項１に記載のアイアンクラブヘッド。
【請求項３】
前記強化部材（１４）はアルミニウム製の網状プレートであり、震動吸収部材（１５）はゴムから成ることを特徴とする請求項１に記載のアイアンクラブヘッド。
【考案の詳細な説明】
【技術分野】
【０００１】
本考案は、特にボールを打撃した時の震動を吸収することができるアイアンクラブヘッドに関するものである。
【背景技術】
【０００２】
図３及び図４に示すように、従来のアイアンクラブヘッドはヘッド部（２０）を有し、該ヘッド部（２０）の一側にフェイス（２１）が設けられると共に、他側に窪みを有する後面部（２２）が設けられる構造を成す。
【０００３】
しかし、上記従来のアイアンクラブヘッドは使用時において、以下に示すような欠点が存在する。
１、       従来のアイアンクラブヘッドはボールを打撃する際、衝撃によりフェイス（２１）に震動が発生するので、後面部（２２）にこの震動を吸収するものがないことから、打撃効果に悪影響を与えてしまう。
２、       従来のアイアンクラブヘッドは後面部（２２）に強化構造を有しないので、該アイアンクラブヘッドを長時間に使用すると、ヘッド部（２０）が破断する恐れがある。
【０００４】
上記問題に鑑み、その後、非金属材質から成るフェイスを有するゴルフクラブヘッド」において、フェイスとヘッドの間に充填空間を形成すると共に、ヘッドの周縁に充填材を充填するための注入口を形成し、該充填空間に充填材を充填することにより、フェイスの裏側に震動吸収層を設ける技術が提案された（特許文献１参照）。
【０００５】
しかしながら、上記震動吸収層を有するフェイスは、震動を吸収できるが、フェイス以外の個所に強化構造を有しないので、クラブ以外の個所が破断する恐れがあり、又、ヘッドの周縁に注入口を設置する必要があるので、ヘッドの製造工程が複雑になってしまう。
【特許文献１】台湾実用新案公告第３１２９９３号
【考案の開示】
【考案が解決しようとする課題】
【０００６】
そこで、案出されたのが本考案であって、ボールを打撃した時の震動を吸収することができるアイアンクラブヘッドを提供することを目的としている。
【課題を解決するための手段】
【０００７】
本願の請求項１の考案は、一端にシャフトと連接するためのホーゼル（１３）が設けられるヘッド部（１０）を有し、その一側にフェイス（１１）が設けられると共に、他側に窪みの凹部（１２）が形成され、該凹部（１２）の内部におけるフェイス（１１）の裏側に順に強化部材（１４）と震動吸収部材（１５）が設けられることを特徴とするアイアンクラブヘッド及び、
本願の請求項２の考案は、前記強化部材（１４）はチタン製の網状プレートであり、震動吸収部材（１５）はゴムから成ることを特徴とする請求項１に記載のアイアンクラブヘッド及び、
本願の請求項３の考案は、前記強化部材（１４）はアルミニウム製の網状プレートであり、震動吸収部材（１５）はゴムから成ることを特徴とする請求項１に記載のアイアンクラブヘッド、を提供する。
【考案の効果】
【０００８】
本考案は上記の問題を解決するものであり、フェイスの裏側に順に強化部材と震動吸収部材を設けて、ボールを打撃した時の震動を吸収することにより、クラブヘッド全体の強度を向上させることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るアイアンクラブヘッドの背面図であり、図２は本考案に係るアイアンクラブヘッドの側面断面図である。
【００１１】
図１及び図２に示すように、本考案に係るアイアンクラブヘッドは一端にシャフトと連接するためのホーゼル（１３）が設けられるヘッド部（１０）を有し、その一側にフェイス（１１）が設けられると共に、他側に窪みの凹部（１２）が形成され、該凹部（１２）の内部におけるフェイス（１１）の裏側に順に強化部材（１４）と震動吸収部材（１５）が設けられる。
【００１２】
前記強化部材（１４）はチタン、アルミニウム又はスチルの何れの金属から製造される網状プレートであり、前記震動吸収部材（１５）はゴムなどの衝撃又は震動を吸収できる材質から成り、強化部材（１４）と震動吸収部材（１５）は粘着、溶接、又は熱プレスなどの接着方法によってヘッド部（１０）と接着する。
【００１３】
本考案は上記の構成を有するので、以下の効果を達成することができる。
１、       フェイスの裏側に震動吸収部材が設けられることにより、ボールを打撃した時の震動を吸収することができるので、打撃際の安定性を向上することができる。
２、       震動吸収部材とフェイスの裏側の間に強化部材が設けられることにより、クラブヘッド全体の強度を向上させることができるので、長時間に本考案のアイアンヘッドを使用しても、ヘッド部を破断することがない。
【産業上の利用可能性】
【００１４】
本考案に係るアイアンクラブヘッドのフェイスの裏側に順に強化部材と震動吸収部材を設けて、ボールを打撃した時の震動を吸収することにより、クラブヘッド全体の強度を向上させることができる。
【図面の簡単な説明】
【００１５】
【図１】本考案に係るアイアンクラブヘッドの背面図である。
【図２】本考案に係るアイアンクラブヘッドの側面断面図である。
【図３】従来のアイアンクラブヘッドの背面図である。
【図４】従来のアイアンクラブヘッドの側面断面図である。
【符号の説明】
【００１６】
１０        ヘッド部
１１        フェイス
１２        凹部
１３        ホーゼル
１４        強化部材
１５        震動吸収部材
２０        ヘッド部
２１        フェイス
２２        後面部
【図１】
0003102910.tif 000003
【図２】
0003102910.tif 000004
【図３】
0003102910.tif 000005
【図４】
0003102910.tif 000006
(57)【要約】      （修正有）【課題】便所の中の臭気が解決し経済的にも良く、取り付けが簡単な脱臭装置を提供する。【解決手段】便器本体１，便座２、蓋３、本体と吸引口の固定具４、吸引口５、吸引パイプ６、電動吸引機７、及び排気パイプ８で構成される。便器本体と便座の間に薄形の吸引口を本体に固定具によって取り付け、パイプで電動吸引機に接続吸引する。吸引された臭気はパイプで外部又は臭突パイプなど排気脱臭する。便器の使用は臀部が蓋となるため便器内の空気量は非常に少なく吸引機の容量も少なくてよい。【選択図】図１
0003104994.tif 000002
【実用新案登録請求の範囲】
【請求項１】
便器の使用中に発生する臭気を便器の中から直接拡散する時前に吸引し排出脱臭する用具である。
【考案の詳細な説明】
【０００１】  発生する臭気を部屋中に拡散する時前の少量の内に吸引し外部に排出脱臭するものである。
【背景技術】
【０００２】  一般的に使用されている従来の大方の便器には、臭気に対する装置は無く、天井又は壁面に取り付けた換気扇及び窓を開くことによる外部への換気であって、換気扇の騒音や窓を開くことの温度の変化などが発生する。又換気扇に依る換気は発生した臭気拡散させ大量の空気を排出しなければ脱臭ができなくなる。
【考案の開示】
【考案が解決しようとする課題】
【０００３】  発生した臭気を便器の中で少量の内に少エネルギーで速やかに外部へ排出しようとすることである。
【課題を解決するための手段】
【０００４】  便器本体と便座の間に薄形の吸引口を本体に固定具によって取り付け、パイプで電動吸引機に接続吸引する。吸引された臭気はパイプで外部又は臭突パイプなど排気脱臭する。便器の使用は臀部が蓋となるため便器内の空気量は非常に少なく吸引機の容量も少なくてよい。
【考案の効果】
【０００５】  本考案は従来のような換気扇の必要はなく長時間の使用もなくなる。節電や室温の低下も防げる、窓を開けて風の心配もなくなり強力な消臭剤の使用もなくなる。
【実施例】
【０００６】  考案の図１は全体の斜視図である。図２は平面図であるが点線の部分は便器本体部分を示す。図３は断面図である。図１によって説明する（１）は便器本体（２）便座（３）蓋（４）本体と吸引口の固定具でボルト締め又はスプリング締め、（５）吸引口（６）吸引パイプ（７）電動吸引機（８）排気パイプ
【産業上の利用可能性】
【０００７】
【図面の簡単な説明】
【０００８】  ［図１］便器本体と吸引口と便座との関係を示したものである。
［図２］吸引口と便座の関係を示したものである。
［図３］本体と吸引口と便座と吸引機の関係を示したものである。
【符号の説明】
【０００９】    １  便器本体
２  便座
３  蓋
４  本体と吸引口の固定具
５  吸引口
６  吸引パイプ
７  電動吸引機
８  排気パイプ
【図１】
0003104994.tif 000003
【図２】
0003104994.tif 000004
【図３】
0003104994.tif 000005
【手続補正書】
【提出日】平成16年5月18日(2004.5.18)
【手続補正１】
【補正対象書類名】実用新案登録請求の範囲
【補正対象項目名】全文
【補正方法】変更
【補正の内容】
【実用新案登録請求の範囲】
【請求項１】
合成樹脂で作製した箱形の臭気吸引口を便器に固定具で固定し吸引口末端に取り付けたパイプ接続口からパイプで吸引機に接続し便器内に発生する臭気を拡散する事前に吸引する脱臭装置
(57)【要約】      （修正有）【課題】机等で、本立てを一個又は複数の横並び及び複数の積み重ね使用、ロッカーの横や本箱等の横の隙間利用では、複数の積み重ね使用ができる。【解決手段】底面フレームに側面フック及び正面フックを溶接固定し最初の本立ての右フレーム及び左フレームに前記側面フック及び前記正面フックを接続する事により複数の積み重ね使用を可能にした。【選択図】図４
0003104999.tif 000002
【実用新案登録請求の範囲】
【請求項１】
右フレーム及び左フレームを側面フレーム及び底面フレームと溶接固定した本立て。
側面フレームには複数の仕切フレームが溶接固定されている。
底面フレームには側面フックと正面フックが溶接固定されている。
前記右フレーム及び前記左フレームの上に次の本立ての前記側面フック及び前記正面フック部を接続して複数の本立てを積み重ねする事が出来る。
【考案の詳細な説明】
【技術分野】
【０００１】本考案は収納の分野で書類や本等を整理収納する本立てに関する物である。
【背景技術】
【０００２】従来から書類や本等を整理収納する本立てがあった。
【考案の開示】
【考案が解決しようとする課題】
【０００３】１  従来の物は書類や本等を整理収納する時に机等テーブル上で横並びに置いて使用【０００４】    していたので大床面積が必要である。
２  書類や本等を整理収納する時に最初の本立ての右フレーム及び左フレームの上に【０００５】    次の本立ての底面フレームの側面フック及び正面フック部を接続することにより【０００６】    複数の本立てを小床面積で収納できる。
【課題を解決するための手段】
【０００７】従来の物は積み重ねする為の接続部品がなく横並びの使用の為、大床面積が必要である。本考案は底面フレームの側面フック及び正面フックにて積み重ねることにより１個分の床面積で複数使用を可能にした。
【考案の効果】
【０００８】机等では本立てを１個又は複数の横並び及び複数の積み重ね使用出来る。
ロッカーの横や本箱等の横の隙間利用では複数の積み重ね使用出来る。
【考案を実施するための最良の形態】
【０００９】図１  正面図
図２  左側面図
図３  右側面図
図１〜３の符号    １    右フレーム【００１０】                  ２    左フレーム【００１１】                  ３    側面フレーム【００１２】                  ４    底面フレーム【００１３】                  ５    側面フック【００１４】                  ６    正面フック
図４  従来の物及び本考案の物。【００１５】      図中の５及び６で積み重ねによる転倒を防止している。【００１６】      机等で使用する時は１個又は複数の横並び及び複数の積み重ねで使用出来る。
本考案は以上述べた実施例に限定される者ではない。
【図面の簡単な説明】
【００１７】      図１  正面図
図２  左側面図
図３  右側面図
図４  従来の物及び本考案の物
【符号の説明】
【００１８】１  右フレーム
２  左フレーム
３  側面フレーム
４  底面フレーム
５  側面フック
６  正面フック
【図１】
0003104999.tif 000003
【図２】
0003104999.tif 000004
【図３】
0003104999.tif 000005
【図４】
0003104999.tif 000006
【手続補正書】
【提出日】平成16年5月27日(2004.5.27)
【手続補正１】
【補正対象書類名】実用新案登録請求の範囲
【補正対象項目名】全文
【補正方法】変更
【補正の内容】
【実用新案登録請求の範囲】
【請求項１】
右フレーム及び左フレームを側面フレーム及び底面フレームと溶接固定し、前記側面フレームに複数の仕切りフレームを溶接固定している、前記底面フレームに側面フック及び正面フックを溶接固定して積み重ねを可能にした本立て。
(57)【要約】      （修正有）【課題】エプロンの前面は汚れやすく、１回で洗わずにすむようにする。また、作業時に手元に手拭きを携帯する事が可能な交換楽々エプロンを提供する。【解決手段】前面にタオルをかけるためのひもをつける。【選択図】図２
0003104992.tif 000002
【実用新案登録請求の範囲】
【請求項１】
エプロンの前面にタオルをかけるためのひもをつける。
【考案の詳細な説明】
【考案の開示】
【考案が解決しようとする課題】
【０００１】  エプロンの前面は汚れやすく、１回で洗わずにすむようにする。また、作業時に手元に手拭きを携帯する事が可能とする。
【課題を解決するための手段】
【０００２】  前面にタオルかけるためのひもをつける。
【考案の効果】
【０００３】  前面の汚れはタオルを交換する事ですみ、また手を拭くためのタオルとしても機能する。
【図面の簡単な説明】
【０００４】
【図１】    前面図。
【図２】    タオル使用時の前面図。
【図３】    後面図。
【符号の説明】
【０００５】      １  タオルかけ用ひも
２  ポケット
【図１】
0003104992.tif 000003
【図２】
0003104992.tif 000004
【図３】
0003104992.tif 000005
【手続補正書】
【提出日】平成16年6月4日(2004.6.4)
【手続補正１】
【補正対象書類名】実用新案登録請求の範囲
【補正対象項目名】全文
【補正方法】変更
【補正の内容】
【実用新案登録請求の範囲】
【請求項１】
エプロンの全面にタオルを掛けられるように紐を取り付け、作業時は手元にタオルを掛け、手を拭くことが楽にでき、汚れたらタオルだけ交換する事のできる機能的なエプロン
(57)【要約】      （修正有）【課題】スポンジの中を清潔にするために、カスが溜りにくくすると同時に、一つの作業で洗浄できる用品を提供する。【解決手段】スポンジ４の差込口にゴムホース１と連結しているパイプを差込み、排水口を止め栓６でふさぎ、ゴムホース１の口先を、水道蛇口に接続して洗浄する。【選択図】図４
0003104997.tif 000002
【実用新案登録請求の範囲】
【請求項１】
（イ）  筒型スポンジに、ゴムホースと連結している、パイプをスポンジの穴に差し込み、スポンジ内部からシャワーで洗浄する、食器洗いセット用品である。
（ロ）  パイプ排水口の止め栓は、外し替えができ、用途によって、付け替えができる。
【考案の詳細な説明】
【考案の詳細な説明】
【産業上の利用分野】
【０００１】考案は、食器洗いをした後の、汚れカスをスポンジ内部から排除し、筒型なので全面利用でき、コップ等の小口の食器洗いにも適応し、一つの作業で汚れを取りながら同時洗いできる洗浄用品である。
【背景技術】
【００２】洗剤をつけて食器洗いをした後の、スポンジの中はカスが溜りやすく不衛生である。
【考案が解決しようとしている課題点】
【０００３】スポンジ内に、残った使用済みの洗剤やカスを、中からシャワーの水力で押し出し、細部に至るまで清潔にする。
【課題を解決するための手段】
【０００４】いまその解決手段を図面に追いながら説明すれば、
（イ）  図１は、ゴムホース（１）と連結しているパイプ（２）にシャワー状の小さな穴を開ける。
（ロ）  図２は、スポンジを筒状にして、スポンジ（４）の丸側の中心部に、パイプ（２）の口径に合わせ、対面側に抜けた筒状の差込み口（５）を開ける。
（ハ）  パイプ先端部分の排水口（３）は、止め栓（６）で防ぎスポンジが抜けないように歯止め役とする。
（ニ）  図３の、止め栓（６）は、取り外しができ、止め栓は用途に合わせ、ブラシ付きの栓（イ）と、スポンジ付きの栓（ロ）に分けられ、取り替える事ができる。
（ホ）  図４は  ゴムホース（１）と連結しているパイプ（２）を、スポンジ（４）の差込み口（５）に入れて、止め栓（６）で排水口（３）をふさいでゴムホース口を、水道蛇口つないだ全体図。
【作用】
【０００５】  洗剤をつけて洗った後、水道水の圧力とシャワーの噴射で、残り洗剤やカスを中から押し出し清潔にする。
【実施例】
【０００６】  洗剤、カスを一掃したところで、そのまま仕上げ洗いをする、スポンジとホースを外し、用途に応じて止め栓を付け替えて、単体でも使用できる。
【考案の効果】
【０００７】  スポンジ内部にカスが溜りにくくなり、小口の食器にも効果を発揮し、細部に至るまで洗浄が一つの流れで済み、食器洗いが効率よくできると共に、清潔に保つ事ができる。
【図面の簡単な説明】
【図１】    ゴムホースとパイプの接続部分の斜視図。
【図２】    筒状スポンジと差し込み口の斜視図。
【図３】    止め栓の、ブラシ付きと、スポンジ付きを横から見た図。
【図４】    横から見た全体図。
【符号の説明】
１は  ゴムホース
２は  パイプ
３は  排水口
４は  スポンジ
５は  差込み口
６は  止め栓、（イ）ブラシ付き、（ロ）スポンジ付き
【図１】
0003104997.tif 000003
【図２】
0003104997.tif 000004
【図３】
0003104997.tif 000005
【図４】
0003104997.tif 000006
【手続補正書】
【提出日】平成16年5月21日(2004.5.21)
【手続補正１】
【補正対象書類名】実用新案登録請求の範囲
【補正対象項目名】全文
【補正方法】変更
【補正の内容】
【実用新案登録請求の範囲】
【請求項１】
食器洗いセット用品において、
（イ）筒型スポンジに、ゴムホースと連結している、パイプをスポンジの穴に差し込み、スポンジ内部からシャワーで洗浄する。
（ロ）パイプ排水口の止め栓は、外し替えができ、用途によって、付け替えができる。
以上からなる食器洗いセット用品。
(57)【要約】      （修正有）【課題】男女兼用洋式トイレにおいて、男性が小便の雫を床にこぼして汚してしまうことで、床材を変質、変色させてしまうことを防止する。【解決手段】便器Ｂの底部から手前に皿形状の受皿部Ａを張り出して構成し、小便の雫のこぼれが直接床へ垂れるのを防止して受止めることが出来る形状にするものである。これにより、床材の変色、変質を防ぎ、長持ちさせるとともに、受皿部Ａにこぼれた小便の雫は、便器Ｂと同じ衛生陶磁器などの材質のためふき取り易く、変質しにくく、清潔である。【選択図】図１
0003104991.tif 000002
【実用新案登録請求の範囲】
【請求項１】
洋式トイレで男性が小便をしたときに、床へ小便の雫をこぼしてしまうことがあるので、Ｂ便器の底部から手前に皿形状のＡ受皿部を張り出して、小便の雫が直接床へこぼれるのを防止して受止めることが出来るようなＢ便器の形状にするものである。
【考案の詳細な説明】
【技術分野】
【０００１】  本考案は、洋式トイレで男性が小便をしたときに、床へ小便の雫をこぼしてしまうことがあるので、Ｂ便器の底部から手前に皿形状のＡ受皿部を張り出して、小便の雫が直接床へこぼれるのを防止して受止めることが出来るようなＢ便器の形状にするものである。
【背景技術】
【０００２】  家庭などに設置されている洋式トイレは、男女兼用が大半で、男性の小便も同じものを使用して用を足している。【０００３】  男性の小便は、立ったままで用を足すのが一般的で、気をつけていても多少小便の雫を床にこぼして汚してしまうことが多い。【０００４】  便器が大きなものであれば、小便の雫をこぼすことは少ないと思うが、一般家庭用では便所のスペースでの制約、費用面での制約があるので、大きな洋式トイレは普及していない。【０００５】  この改善策として、図１のＡ受皿部をＢ便器の底部から手前に張り出して設け、小便の雫がこぼれた場合に受止める形状にする。
その他の洋式トイレとしての機能、形状、材質は従来の技術による。
【考案の開示】
【考案が解決しようとする課題】
【０００６】  解決しようとする問題点は、男女兼用洋式トイレにおいて、男性が小便の雫を床にこぼして汚してしまうことと、それが原因で床材を変質、変色させてしまう点である。
【課題を解決するための手段】
【０００７】  本考案は、Ｂ便器の材質と同じ衛生陶磁器などの材質にて、Ｂ便器の底部から手前に張り出した小便の雫のＡ受皿部を設けて、直接床にこぼれるのを防止することにより、床の汚れを防止するとともに、汚れをふき取り易くすることを主要な特徴とする。
【考案の効果】
【０００８】  本考案の小便の雫汚れ防止洋式トイレは、小便の雫が直接床にこぼれるのを防止する効果があるので、床材の変色、変質を防ぎ、長持ちさせるとともに、Ａ受皿部にこぼれた小便の雫は、Ｂ便器と同じ衛生陶磁器などの材質のためふき取り易く、変質しにくく、清潔である。
【考案を実施するための最良の形態】
【０００９】  従来の洋式トイレとしての基本的な機能、材質を変更していない。また、Ａ受皿部については、Ｂ便器と同じ衛生陶磁器などの材質でＢ便器の底部から手前にＡ受皿部を張り出すだけの形状なので、使用面においてもほとんど従来どおりで、床の汚れを防止するとともに、汚れをふき取り易くするという目的を実現した。
【実施例１】
【００１０】  図１及び図２は、本考案装置の１実施例のトイレ側面姿図とＢ便器平面姿図であって、ＡはＢ便器受皿部、Ｂは便器、Ｃは便座、Ｄは蓋、Ｅ１は小便ライン、Ｅ２は小便の雫のこぼれライン、Ｆは床面、Ａ１はＡ受皿部横切断線、Ａ２はＡ受皿部からＢ便器へかけての縦切断線である。【００１１】  図３はＡ１切断線でのＡ受皿部断面図であり、図４はＡ２切断線でのＡ受皿部断面図である。【００１２】  正常な小便ラインはＥ１のような軌跡でＢ便器へ排泄される。しかし、気をつけていてもＥ２のような軌跡でＢ便器手前へ小便の雫をこぼすことがある。【００１３】  Ａ受皿部は、Ｅ２小便の雫のこぼれを受ける受皿である。Ａ受皿部は、図１トイレ側面姿図及び図２便器平面姿図に示す如く、Ｂ便器の底部から手前に皿状に張り出している。【００１４】  図３及び図４は、Ａ受皿部のＡ１切断線及びＡ２切断線でのＡ受皿部断面図である。Ａ受皿部のａ２には、盛り上った縁ａ１をもたせており、窪みで小便を受止める形状にしている。【００１５】  Ａ受皿部は、Ｂ便器と同じく衛生陶磁器の材質で造られているので、小便の雫がＡ受皿部へこぼれても変色、変質する恐れは無い。また、こぼれた小便の雫をふき取るのも簡単である。
【図面の簡単な説明】
【００１６】
【図１】通常の小便ライン及び小便の雫ラインを示したトイレ側面姿図である。
【図２】上から見た便器平面姿図である。
【図３】Ａ１切断線でのＡ受皿部断面図である。
【図４】Ａ２切断線でのＡ受皿部断面図である。
【符号の説明】
【００１７】Ａ    受皿部（小便の雫受皿部）
Ａ１  Ａ受皿部横切断線
Ａ２  Ａ受皿部からＢ便器への縦切断線
Ｂ    便器
Ｃ    便座
Ｄ    便座の蓋
Ｅ１  通常の小便ラインの軌跡を示す
Ｅ２  小便の雫を下へこぼしたときの軌跡を示す
Ｆ    床面
ａ１  Ａ受皿部の縁
ａ２  Ａ受皿部の底
【図１】
0003104991.tif 000003
【図２】
0003104991.tif 000004
【図３】
0003104991.tif 000005
【図４】
0003104991.tif 000006
【手続補正書】
【提出日】平成16年5月18日(2004.5.18)
【手続補正１】
【補正対象書類名】実用新案登録請求の範囲
【補正対象項目名】全文
【補正方法】変更
【補正の内容】
【実用新案登録請求の範囲】
【請求項１】
洋式トイレで男性が小便をしたときに、床へ小便の雫をこぼしてしまうことがあるので、便器の底部から手前に皿形状の受皿部を張り出して、小便の雫が直接床へこぼれるのを防止して受止めることが出来るような便器の形状にした小便の雫汚れ防止洋式トイレ。
(57)【要約】【課題】デンタルミラーと，太陽，蛍光灯，電球，などの，光を，口腔外から，照明して，口腔内を，見ると，太陽，蛍光灯，電球，などの，光が，口腔内で，遮断されたり，不足すると，口腔内が，見えにくい。【解決手段】デンタルミラーの，ミラーの表面に，電気発光物を，使用して，樹脂で，被覆し，成型して，電気発光物を，口腔内に，入れられるようにして，電気発光物が，樹脂を，通して，口腔内の，対象物に，接触させながら，使用できるようにして，電気発光物の，光が，口腔内で，遮断されないように，不足しないように，照明できるようにして，口腔内を，見えやすくする。【選択図】図２
0003104901.tif 000002
【実用新案登録請求の範囲】
【請求項１】
ミラーの表面に，電気発光物を，使用して，樹脂で，被覆し，成型している，電気発光物使用デンタルミラー。
【請求項２】
電気発光物が，発光ダイオードである，請求項1の，電気発光物使用デンタルミラー。
【請求項３】
電気発光物が，エレクトロルミネッセンスである，請求項1の，電気発光物使用デンタルミラー。
【考案の詳細な説明】
【技術分野】
【０００１】
デンタルミラーと，照明に，ついての，考案である。
【背景技術】
【０００２】
ガラス製のミラーと金属製の柄，樹脂製のミラーと樹脂製の柄，などの，デンタルミラ
ーと，太陽，蛍光灯，電球，などの，光を，口腔外から，照明して，口腔内を，見てい
る。先行商品では，輸入商品を，１種類，小売店が，販売していて，柄の内部に，発光
体を，使用した商品である。先行権利の，特許，実用新案では，ミラーの中央の位置，
ミラーから離れた，ミラーの周囲の位置，などに，発光体を，使用した権利があるが，
商品としては，見かけない。特許公報では，平９−３２７４３６，２００１−６１７７
９，実用新案公報では，第３０６７８４７号，などである。
【考案の開示】
【考案が解決しようとする課題】
【０００３】
デンタルミラーと，太陽，蛍光灯，電球，などの，光を，口腔外から，照明して，口腔
内を，見ると，太陽，蛍光灯，電球，などの，光が，口腔内で，遮断されたり，不足す
ると，口腔内が，見えにくい。
【課題を解決するための手段】
【０００４】
デンタルミラーの，ミラーの表面に，電気発光物を，使用して，樹脂で，被覆し，成型
して，電気発光物を，口腔内に，入れられるようにして，電気発光物が，樹脂を，通し
て，口腔内の，対象物に，接触させながら，使用できるようにして，電気発光物の，光
が，口腔内で，遮断されないように，不足しないように，照明できるようにして，口腔
内を,見えやすくする。
【考案の効果】
【０００５】
デンタルミラーの，ミラーの表面に，電気発光物を，使用して，樹脂で，被覆し，成型
して，電気発光物を，口腔内に，入れられるようにして，電気発光物が，樹脂を，通し
て，口腔内の，対象物に，接触させながら，使用できるようにすることで，電気発光物
の,光が，口腔内で，遮断されないように，不足しないように，照明できるようになり，
口腔内が,見えやすくなる。
【考案を実施するための最良の形態】
【０００６】
円形の，ガラス製ミラーの，表面に，電気発光物を，接着して，透明の樹脂で，被覆し，
成型して，電気発光物使用デンタルミラーを，製造する。電気発光物使用デンタルミラ
ーの，電源，種類は，電源が，電池の，電池ペンライト型，電磁誘導で，２次電池，コ
ンデンサーに，充電する，電磁誘導充電ペンライト型，電源の，ＡＣアダプターから，
電線で，電気を，供給する，ＡＣアダプター電線型，歯科用椅子に，電源の，ジャック
を，つけておいて，デンタルミラーからの，電線に，接続した，プラグを，さし込む，
歯科用椅子プラグジャック型，などである。
【実施例】
【０００７】
図１の，とおり，厚さ１. ０ｍｍ程度，直径２０. ０ｍｍ程度の，円形の，ガラス製ミ
ラーの，表面に，電線接続白色発光ダイオードを，６個，接着する。５個の電線は，ガ
ラス製ミラーの，裏面に，回し，接着して，他の，１個の電線と，合わせて，電線接続
白色発光ダイオード付きガラス製ミラーを，製造する。
【０００８】
図２の，とおり，電線接続白色発光ダイオードの，６個の，電線は，柄の部分の中心を，
通して，電線接続白発光ダイオード付きガラス製ミラーを，ミラーの部分の中心に，
入れて，柄の部分と，ミラーの部分を，透明の樹脂で，被覆し，成型して，電気発光物
使用デンタルミラーを，製造する。
【図面の簡単な説明】
【０００９】
【図１】電線接続白色発光ダイオード付きガラス製ミラーの，斜視図である。
【図２】電気発光物使用デンタルミラーの，斜視図である。
【符号の説明】
【００１０】
１・・・ガラス製ミラー
２・・・電線接続白色発光ダイオード
３・・・電線
４・・・透明の樹脂
【図１】
0003104901.tif 000003
【図２】
0003104901.tif 000004
(57)【要約】  【課題】魚類を焼くとき魚皮を痛めることなく美しく焼上げることができる魚焼器を提供する。  【解決の手段】載置面を鋸歯波形４に形成された載置板３を枠１に複数枚装着して構成し、各々載置板３には油受片５を具備し油垂れを防ぐと共に油溜り溝６へ導く、尚鋸歯波形４が多数の突状に配列されているので載置したとき多数の点で受けた状態になり焼上がって魚類を外すとき皮身を剥がすことなく自然の形で焼上げることができる。【選択図】  図１
0003104906.tif 000002
【実用新案登録請求の範囲】
【請求項１】
魚焼器において上向に鋸歯波形を有する載置板を複数枚、並列に装着し載置部全面を突状の集合体で構成し、魚の焼きつき及びずり落ちを防止することを特徴とする魚焼器。
【考案の詳細な説明】
【技術分野】
【０００１】
この考案は魚類を焼上げるときに金網や針金に皮が焼付き皮剥れや身崩れを防ぐようにした魚焼器に関する。
【背景技術】
【０００２】
従来魚焼器で魚を焼き上げるとき、魚皮の焼付きを防止するために、あらかじめ油等を布で附着させる等手間をかけて焼いていたが、それでも魚のような被調理物を凝着することなく美しく焼上げることは、かなり難しく、これ等の問題点を解決すべく
【０００３】
従来の魚焼器は全般に魚との接触面が大きく線であったり面であるため、加熱による凝着を生じ上手に焼上げるには至難の業で皮剥げ、身崩れ等の懸念があった。
【考案の開示】
【考案が解決しようとする課題】
【０００４】
このため、魚を上手に、焼上げるための器具が望まれていた、魚皮の焼付きさえ回避することができれば身崩れのない美しい焼姿に仕上げることができる。
【課題を解決するための手段】
【０００５】
この考案は従来より念願であった魚の焼上げ過程において魚皮の焦げ付を防ぐことができ、しかも簡単な構造により使い勝手も良く、後始末も容易で利便性に富み、魚焼きが楽しくなるような魚焼器を提供しようとするものである。握り柄を有する外枠に長手方向上部を鋸歯波形に加工し下部を鋭角に折り曲げて油受片とし、その谷部に油溜りを形成した載置板を複数枚等間隔で並列に装着して構成されているので調理物の接面が突状で保持され、焼上がったとき焼器との分離が容易で形をこわすことなく焼き上げることができる。
【考案の効果】
【０００６】
この考案の魚焼器は全面に鋸歯状の突起を有し、魚類等の重量を平均的に配分載置ができ、しかも接触面積を極力低減し接熱による凝着を減少せしめ併せて載置面が突状のため、ずり落ちすることなく、きれいな焼上がりを可能にし、日常生活、台所作業の便宜を増大する。
【考案を実施するための最良の形態】
【０００７】
以下この考案を図面に基づいて説明する。例えば魚焼器は金属材を用い、各部は板金加工等によりそれぞれ成形され組合わされる。図１において、握り手２を有する枠１に上向きに鋸歯波形４を形成した載置板３の長手方向に中段部より折曲げて油受片５を鋭角に加工し曲り部は油溜り溝６となる。載置板３は、枠１の寸法に応じて等間隔に複数枚で構成される。
【実施例１】
【０００８】
図１は本考案態様の斜視図であって、魚を焼くとき油ふき等前準備の必要もなく、魚体を鋸歯の列に対し直角の方向になる様に定置し、焼作業を始め頃合を見て裏返すとき、魚全体を持上げることなく少しの力で鋸歯の列にそって回し動かすことができる、このとき魚皮の焼付はほとんどなく、大いに役立つ。
【図面の簡単な説明】
【０００９】
【図１】魚焼器の斜視図である。
【図２】魚焼器の側面図である。
【図３】魚焼器の前断面図である。
【符号の説明】
【００１０】
１．  枠
２．  握り柄
３．  載置板
４．  鋸歯波形
５．  油受片
６．  油溜り溝
【図１】
0003104906.tif 000003
【図２】
0003104906.tif 000004
【図３】
0003104906.tif 000005
(57)【要約】【課題】  薄型化された画面の利点を活用できる機能，形態を備えたカラオケ装置を提供すること。【解決手段】  横長で奥行きのある筐体５の前面に設けられた操作パネル４を、当該筐体５の前面に対して取付け角度を90度変更できるようにした。【選択図】図２
0003104955.tif 000002
【実用新案登録請求の範囲】
【請求項１】
横長で奥行きのある筐体の前面に設けられた操作パネルを、当該筐体の前面に対して取付け角度を90度変更できるようにしたことを特徴とするカラオケ装置。
【請求項２】
操作パネルの角度変更は、当該パネル下端部を筐体の前面乃至その近傍に枢着して行うようにした請求項１のカラオケ装置。
【請求項３】
筐体の背面に脚部材を設け、前記筐体を立ち姿で使用するときの支持脚とした請求項１又は２のカラオケ装置。
【考案の詳細な説明】
【技術分野】
【０００１】
本考案は設置姿勢を設置場所の状況やラックの形態などに応じて選択することができるようにしたカラオケ装置に関する。
【背景技術】
【０００２】
従来のカラオケ装置は、一般的なアンプやチューナーなどの音響機器やビデオプレーヤなどの映像機器と同じように、横長で奥行きのある筐体の中に、部品や回路などが設けられたシャーシを収設して形成され、この筐体の前面が操作パネルに形成された形態のものである。
【０００３】
上記カラオケ装置は、テレビ受像機と同様のＣＲＴ画面を塔載したラックに収容されカラオケ設備として、スピーカ装置とともに店舗のカラオケコーナーやいわゆるカラオケボックスに設置され使用されている。
【０００４】
ところで、近年、液晶やプラズマなどを利用した平板タイプや薄型タイプと称されるテレビ受像機が普及し始め、これに伴いカラオケ設備の映像用画面にも液晶化、或は、プラズマ化された平板タイプ（薄型タイプ）の画面が採用されるようになった。
【０００５】
カラオケ設備において、画面が薄型化されても、カラオケ装置本体が従来の横長で奥行きが大きな従来タイプであると、奥行き量が大きなラックを使用しなければならないため、画面が薄型化されたメリットが活かされないという問題がある。
【考案の開示】
【考案が解決しようとする課題】
【０００６】
そこで、本考案では、薄型化された画面の利点を活用できる機能，形態を備えたカラオケ装置を提供することを、その課題とする。
【課題を解決するための手段】
【０００７】
上記課題を解決することを目的としてなされた本考案カラオケ装置の構成は、横長で奥行きのある筐体の前面に設けられた操作パネルを、当該筐体の前面に対して取付け角度を90度変更できるようにしたことを特徴とするものである。
【０００８】
上記の本考案カラオケ装置における操作パネルの角度変更は、当該操作パネルの下端部を筐体前面に対して枢着した取付構造にすることにより実現する。
【考案の効果】
【０００９】
本考案カラオケ装置は、操作パネルを筐体前面に対し、正立状態と90度倒した状態を選択することができるので、カラオケ装置を従来の設置形式、即ち、筐体を横長で奥行きがある横置き姿勢で使用できると共に、操作パネルを筐体正面に対し90度角度変更し、操作パネルを正立姿勢とし、筐体を立ち姿勢にして奥行きを小さくした（筐体の正面から見た上下幅）形態で使用することができる。
【考案を実施するための最良の形態】
【００１０】
次に本考案の実施の形態例について、図を参照して説明する。図１は本考案カラオケ装置を従来タイプでラックに収納して使用している状態の要部の側断面図、図２は図１のカラオケ装置を縦向きタイプで薄型ラックに収納して使用している状態の要部の側断面図である。
【００１１】
図１において、１はカラオケ設備の従来タイプの奥行き量が大き目のラック、２はそのラック１の最上段の天板1aに設置した液晶（又はプラズマ等）による平面型の表示画面、３は前記ラック１の棚板1bに従来の横置きスタイルで設置した本考案カラオケ装置である。
【００１２】
図１の本考案カラオケ装置３では、その操作パネル４を、筐体５の正面において当該パネル４の下端部を枢着６することにより、筐体５の前面に対し正立状態（図１の状態）と図２に示すように、操作パネル４を筐体５の前面に対し90度倒した状態を選択できるように形成されている。なお、７は筐体５の背面から延びた電源，信号などのケーブル、6aは操作パネル４の枢着６を補完する補助部材である。
【００１３】
操作パネル４を筐体５の前面に対し90度倒すことができる本考案カラオケ装置３は、90度倒した操作パネル４を正立させると、図２に示すように筐体５が立った姿勢になる。
【００１４】
この結果、操作パネル４を90度倒した本考案カラオケ装置３は、図２のラック11にように、図１のラック１の奥行き量D1に比べ、奥行き量D2を大幅に小さく形成した薄型ラック11に塔載できるので、平面型の表示画面２の効果と相俟ってラックを含むカラオケ設備全体の奥行きを小さく形成することができる。
【００１５】
図２の本考案カラオケ装置３において、筐体５を立姿勢でラック11に塔載すると、筐体５の背面から延びたケーブル７が邪魔になることがある。このため本考案では、筐体５の背面の左右側に、当該筐体５を立てたときに支持脚となる脚部材８を設けるようにした。ケーブル７の処理のためには、図示しないが棚板1bの後部にケーブル挿通用の切欠きや穴を設けることもある。なお、図２において1cはラック11のフロントパネルである。また、表示画面２は常にラック１又は11の最上段に設置されるものではなく、カラオケコーナーなど部屋内の適宜の位置に設置できるものである。
【産業上の利用可能性】
【００１６】
本考案カラオケ装置は以上の通りであって、横長で奥行きのある筐体の前面に設けられた操作パネルを、当該筐体の前面に対して取付け角度を90度変更できるようにしたから、カラオケ設備全体をラックも含めて薄型に形成でき、スペース効率よく部屋に設置できる。
【００１７】
また、本考案カラオケ装置は、その操作パネルを従来型のままの姿勢でも使用できるので、従来型のラックに塔載することもできる。
【図面の簡単な説明】
【００１８】
【図１】本考案カラオケ装置を従来タイプでラックに収納して使用している状態の要部の側断面図。
【図２】図１のカラオケ装置を縦向きタイプで薄型ラックに収納して使用している状態の要部の側断面図。
【符号の説明】
【００１９】
１，11    ラック
２        表示画面
３        カラオケ装置
４        操作パネル
５        筐体
６        枢着
７        ケーブル
８        脚部材
【図１】
0003104955.tif 000003
【図２】
0003104955.tif 000004
(57)【要約】      （修正有）【課題】製造時においては材料のロスを少なくし、枕部を袋部の延長とすることで製造工程の短縮化を可能として、且つ使用時においては着脱時の負担を軽減したシーツを提供する。【解決手段】２枚の同一寸法の材料１，２を重ね、３方を結合することにより袋部を形成する。又、平行する縦２方向については前端まで結合せず余地を残して、使用時に折り返すことの出来る様にする。【選択図】図２
0003104979.tif 000002
【実用新案登録請求の範囲】
【請求項１】
寝具と身体の直接的接触を防ぐ為のシーツであって、同一寸法の２枚の材料を前端部に折り返す為の余地を残した３方を縫合又はボタン、ファスナー、マジックテープ等により結合し、袋状とした寝具用シーツ。
【考案の詳細な説明】
【技術分野】
【０００１】  本考案は、取替作業が容易な寝具用シーツに関するものである。
【背景技術】
【０００２】  従来の寝具用シーツは、敷布団と毛布若しくは掛布団との間に２枚敷きこみ、各シーツの間に入って寝ることで寝具と使用者との直接的接触をしない為に使用するものである。又、同様の目的で布団若しくは毛布そのものを覆うカバーも存在し、実用に供されている。【０００３】  しかし、就寝中の使用者の身体が動くことによりシーツがずれてしまい、使用者と寝具の直接的接触を避けるという本来の目的が達せられないという欠点があった。又、カバーについては、使用後の処分、洗濯等の為の脱着に布団を持ち上げなければならないなど手間がかかるという欠点があった。【０００４】  この改善策として、特許公開２００１−１２０４１０にある隔離式寝具という寝袋状のシーツが存在し、寝具と隔離式寝具との脱着の手間は軽減されるが枕の出し入れの手間が残る点と、袋部の大きさを不同にしているので生産課程において材料裁断時にロスが発生してしまう点、袋部製造の工程と枕部製造の工程の２工程かかるといった欠点がある。
【考案の開示】
【考案が解決しようとする課題】
【０００５】  解決しようとする問題点は、隔離式寝具の生産課程における材料のロスが多い点と、枕の出し入れの手間が必要となる点である。
【課題を解決するための手段】
【０００６】  本考案は、材料のロスを少なくする為に袋部の幅の寸法を同一にしたことと、枕部製造工程をなくす為に枕の上にシーツを覆うことで身体と寝具の直接的接触を防ぐ目的も達成出来る点を主要な特徴とする。
【考案の効果】
【０００７】  本考案の寝具用シーツは、袋部の幅の寸法を同一としたことと、枕の上にシーツを覆うことにより、材料と製造工程の無駄を省くことが出来るという利点がある。
【考案を実施するための最良の形態】
【０００８】  生産課程における物質的、労務的なロスを軽減するという目的を、形状を変更することにより実現した。
【実施例１】
【０００９】  図１は、本考案製品の１実施例の平面図であって１と２を上下に合わせることにより製品を構成する。材料はシーツ地又はタオル地からなり、３は結合部分であり、縫合する。又、縫合の他にボタン、ファスナー、マジックテープ等でも良い。【００１０】  図２は、本考案製品の１実施例の立体図であって図１の１と２を結合したものである。【００１１】  図３の実施例は、使用状態の断面図である。４と６を覆う様に本考案製品を置き１の前端を４の下に敷き込むことによりズレを防ぐ。又、この製品の結合部前端に５の前端を合わせて置きの前端部を折り返すことで７が袋部から手を出していても寝具との接触はない。【００１２】  図４の実施例は、使用状態の正面図である。
【産業上の利用の可能性】
【００１３】  製造工程の短縮化と材料のロスを軽減したことにより、生産コストの低下を図ることが出来る。又、本考案製品の洗濯等での寝具との脱着が容易な為、利便性が高まることが期待できる。
【図面の簡単な説明】
【００１４】
【図１】本考案製品の構造を示した説明図である。（実施例１）
【図２】本考案製品の構造を立体的に示した説明図である。（実施例１）
【図３】本考案製品の使用時の断面を示した説明図である。（実施例１）
【図４】本考案製品の使用時を上面より示した説明図である。（実施例１）
【符号の説明】
【００１５】１．寝具用シーツ下面用
２．寝具用シーツ上面用
３．１と２の結合部分
４．敷布団
５．掛布団
６．枕
７．使用者
【図１】
0003104979.tif 000003
【図２】
0003104979.tif 000004
【図３】
0003104979.tif 000005
【図４】
0003104979.tif 000006
【手続補正書】
【提出日】平成16年5月27日(2004.5.27)
【手続補正１】
【補正対象書類名】実用新案登録請求の範囲
【補正対象項目名】全文
【補正方法】変更
【補正の内容】
【実用新案登録請求の範囲】
【請求項１】
寝具と身体の直接的接触を防ぐ為のシーツであって、同一寸法の２枚の材料を前端部に折り返す為の余地を残した３方を縫合又はボタン、ファスナー、面ファスナー等により結合し、袋状とした寝具用シーツ。
(57)【要約】      （修正有）【課題】断熱性、遮光性、障子紙破損防止を可能にする。【解決手段】発泡樹脂薄板（6〜2mm）パネルを障子桟、枠に押縁にて固定障子紙とサンドイッチする。これにより、遮光性、断熱性に優れ、又寒、暖両地域で冷暖房負荷の節減に効果を発揮し、障子に密着して取り付けられるため障子紙の破れ破損防止にも大きく貢献、維持面の経費の節減が計られ一挙両得以上の効果が得られ、環境にやさしいエコロジー製品の障子です。【選択図】図１
0003104976.tif 000002
【実用新案登録請求の範囲】
【請求項１】
障子建具の断熱性能、遮音性能、遮光性能、及び障子紙の損傷、寿命のアップを計り、省エネ効果と経済性の相乗効果を期待出来、居室の環境改善に効果を発揮する改良型障子として今後の利用、貢献が期待される。
【考案の詳細な説明】
【技術分野】
【０００１】
本考案は、発泡樹脂薄板（6〜2mm）パネルを障子桟、枠に押縁にて固定障子紙とサンドイッチする事により障子の機能を生かしながら機能性を向上させたところが考案の根本です。
【背景技術】
【０００２】
従来の障子に断熱性、遮光性、障子紙破損防止を可能にする透光性断熱板としての素材はスチレンボードとして市販され厚さ6〜2mmが入手可能であり室用途に応じ厚さを使用する事により環境の維持が図れる。
【考案の開示】
【０００３】
居室等外部採光面に設置するケースが多々ありますが畳やけ、家具の保護等のため一般障子より遙かに遮光性、断熱性に優れ、又寒、暖両地域で冷暖房負荷の節減に効果を発揮致します。さらに障子に密着して取り付けられるため障子紙の破れ破損防止にも大きく貢献、維持面の経費の節減が計られ一挙両得以上の効果が得られ、環境にやさしいエコロジー製品の障子です。
【産業上の利用可能性】
【０００４】
障子としてだけでなく裏面接着タイプのパネル（ハレパネ）としクロスや写真コピー等を張り付け間仕切りや襖としての発展的利用も可能であり、居室内のアート的装飾性も利用が検討可能。
【図面の簡単な説明】
【０００５】
【図１】図面はパネル障子戸の側面と裏面から見た制作図面です
【図１】
0003104976.tif 000003
【手続補正書】
【提出日】平成16年4月1日(2004.4.1)
【手続補正２】
【補正対象書類名】手続補正書
【補正対象項目名】手数料補正
【補正方法】変更
【補正の内容】
【手続補正書】
【提出日】平成16年4月1日(2004.4.1)
【手続補正１】
【補正対象書類名】実用新案登録請求の範囲
【補正対象項目名】全文
【補正方法】変更
【補正の内容】
【実用新案登録請求の範囲】
【請求項１】
・       
構造：
在来木製障子建具の組み合わせにおいて従来の障子紙
だけでなく、遮光、断熱パネル（スチレンボード樹脂板）を
障子面全体にもう一枚重ね合わせ「障子＋パネル」の一体構造
とした所が特徴で、障子本来の機能に断熱、遮光性能を付加し
た点であり障子紙の美的効果を生かし、且つ長期使用、メンテ
軽減化の効用も期待される点がポイントである。
新規製作上技術的には現状障子枠や敷居等の寸法を
変えることなく製作可能である。
・       
形状：
木製障子枠内に障子桟の位置を室内側に移動し、障子紙
を貼り付け後パネル厚（３〜６ｍｍ）を外面に障子枠、桟に
ビス等で止め、取り外し式となし障子の貼り替えも可能である。
・       
組合せ：
市販断熱、遮光パネルの製品として使用可能な製品名
として「ルームラック」「ミラボード」等を組合せ取付可能である、
参考までに３〜４ｍｍ厚で９１０＊１，８６０ｍｍ/枚
が標準サイズで使用可能である。
【手続補正書】
【提出日】平成16年6月25日(2004.6.25)
【手続補正１】
【補正対象書類名】実用新案登録請求の範囲
【補正対象項目名】全文
【補正方法】変更
【補正の内容】
【実用新案登録請求の範囲】
【請求項１】
遮光、断熱パネルを障子面全体にもう一枚重ね合わせ、
障子とパネルを一体構造とした障子であって、
木製障子枠内に障子桟の位置を室内側に移動し、障子紙を貼り付け後、
パネルを障子枠、桟にビス等で止め、取り外し式となした障子。
(57)【要約】【課題】  溶融金属の冷却曲線を測定する時間を短縮することの出来る試料採取容器を提供すること。【解決手段】  コップ状の本体１２の内部に、その上端縁から間隔をとって隔壁１４を形成し、上部室１６と下部室１８とに隔て、隔壁１４に開口２０が設けてあって、上部室１６に注入された溶湯を中央の開口２０を経て下部室１８に流れ込むようにして溶湯の温度低下を広い接触面によって促進させる。【選択図】図１
0003104971.tif 000002
【実用新案登録請求の範囲】
【請求項１】
コップ状の本体１２の上端縁から間隔を取って隔壁１４を形成し、前記本体１２を上部室１６と下部室１８とに隔て、前記隔壁１４に開口２０を設け、前記上部室１６に注入される溶湯を前記隔壁１４の開口を経て前記下部室１８に流入させて前記上部室１６と前記下部室１８内に充満させるように構成した溶融金属の試料採取容器。
【請求項２】
前記開口２０を前記隔壁の中央に設けて成る請求項１に記載の溶融金属の試料採取容器。
【請求項３】
前記開口２０を複数個とする請求項１に記載の溶融金属の試料採取容器。
【考案の詳細な説明】
【技術分野】
【０００１】  この考案は金属の溶湯の試料採取容器、より詳細に述べると、鋳鉄や鋼鉄などの溶融金属の冷却温度を測定して、その材質を炉前で測定するために、これら金属の溶湯を試料として採取するための容器に関する。
【背景技術】
【０００２】  溶融金属、特に鋳鉄や鋼鉄などの冷却温度を炉前で測定して、その冷却曲線から鋳鉄や鋼の材質を知るために、溶鉱炉の中からそれらの溶湯をヒシャクを用いて採取するには、通常、耐熱材、例えばセラミック製のコップ状の容器を使用する。この容器の内部には、汲み入れた溶湯の温度変化を検知するセンサとして、棒状の熱電対が容器の底から直立して突出し、この熱電対の下端は温度変化を測定する装置に連結するようにしてある。【０００３】  この試料採取容器に注入した溶湯を熱分析するために必要とする間は、溶鉱炉の温度を最初に試料採取容器に取り入れたときの溶湯温度に保持しておかなければならない。しかしながら、溶鉱炉の操業には多量の電力を必要とするので、試料採取容器によって溶湯の温度変化を測定する時間は短ければ短いほど経済的な利益がある。
【特許文献１】特開平７−９２１５８号公報
【考案の開示】
【考案が解決しようとする課題】
【０００４】  解決しようとする問題点は、高温度の溶湯を熱分析するのに要する時間を、出来る限り短縮して操業者の経済的負担を軽減することが出来る溶融金属の試料採取容器を提供することにある。
【課題を解決するための手段】
【０００５】  この考案は、高温度、例えば１４５０℃程度で試料採取容器に取り入れた溶湯の接触する面積を拡張して、その温度の降下を促進することをもつとも主要な特徴とする。
【考案の効果】
【０００６】  この考案の試料採取容器は、従来のこの種の容器と比較して、特殊で複雑な相違点が無いので、従来のこの種の容器と同様に取り扱うことが可能であり、しかも従来より短時間で所期の目的を達成することができるという利点がある。
【考案を実施するための最良の形態】
【０００７】  この考案の好ましい実施態様を添付図面について詳述する。図１は、この考案の試料採取容器の縦断面図であって、試料採取容器１０は円筒形のコップ状の本体１２からなり、従来のものと同様に本体１２は適当な耐熱材、たとえばセラミック製とする。【０００８】  コップ状の本体１２の内部には、その上端縁から間隔をとって隔壁１４が形成してあって、上部室１６と下部室１８とに隔てられており、隔壁１４には、その中央の位置に開口２０が設けてあって、上部室１６に注入された溶湯は中央の開口２０を経て下部室１８に流れ込んで両室１６、１８内に充満される。なお、開口２０は隔壁１４の中央でなく、図３に示すように、隔壁１４の所望の位置に複数個設けることができ、さらに複数個とすることも出来る。【０００９】  下部室１８には、その底部２２を貫通して直立する熱電対２４が配置してあり、この熱電対２４の下端は導線（図に示してない）を介して当業者が周知の熱分析用の自動測定装置（図示してない）に接続する。【００１０】  この考案の試料採取容器１０に高温度、すなわち例えば１４５０℃の鋳鉄の溶湯を注入すると、その溶湯の温度が約１５０℃低下する。これを従来の容器に比べると実に１．５倍の高速度で低下するものである。従来、鋳鉄の溶湯の熱分析に費やす時間が３分以上を要したものが、この考案の容器１０によれば、僅か２分で十分であることから、溶鉱炉の通電時間もそれに比例して短縮されるので、鋳造業者の経済的負担を軽減することが出来るという、経済的な価値も極めて大きいものである。
【図面の簡単な説明】
【００１１】
【図１】  この考案の試料採取容器の縦断面図である。
【図２】  図１の平面図である。
【図３】  この考案の変形態様を説明する平面図である。
【符号の説明】
【００１２】    １０  試料採取容器
１２  本体
１４  隔壁
１６  上部室
１８  下部室
２０  開口
２２  底部
２４  熱電対
【図１】
0003104971.tif 000003
【図２】
0003104971.tif 000004
【図３】
0003104971.tif 000005